【事件の表示】
　特許第３０５２９６２号「複写装置」の請求項１に係る特許に対する特許異議の申立てについて、次のとおり決定する。
【結　論】
　訂正を認める。
　特許第３０５２９６２号の請求項１に係る特許を維持する。
【理　由】
１．手続の経緯
　本件特許第３０５２９６２号発明は、平成１１年７月１３日に特願平１−２５４４０号（平成１年２月２日出願）の一部を新たな特許出願として特許出願され、平成１２年４月７日にその特許の設定登録がなされ、その後、相原光政より特許異議の申立がなされ、取消理由通知がなされ、その指定期間内である平成１３年６月２６日に訂正請求がなされたものである。
　
２．訂正の適否についての判断
２．１　訂正事項
　特許権者が求めている訂正の内容は以下のとおりである。
ア．訂正事項ａ
　特許請求の範囲の記載を
「【請求項１】　複数の色成分の画像信号に基づいてカラー画像を形成する複写装置であって、任意の色を登録でき、この登録色を原稿の色に関する複写編集処理に利用して画像形成を行い得る複写装置において、少なくとも複写スタートを指令する操作手段が配設された操作パネルと、前記登録色に相当する信号を複数記憶する記憶手段と、複数の任意の登録色に相当する信号を前記記憶手段に登録させる任意色登録手段と、該任意色登録手段で登録された複数の登録色から１つを選択し、選択された任意の登録色に相当する信号の読出しを指令する前記操作パネルに設けられた読出し指令手段と、前記読出し指令手段にて読出された登録色に相当する信号に基づいて原稿画像に色編集を施して複写する編集複写手段とを備え、前記複数の任意の登録色がプリントされた用紙を前記操作パネルに配設するように構成してあることを特徴とする複写装置。」と訂正する。
イ．訂正事項ｂ
　特許明細書の段落【０００４】に係る記載を
「【課題を解決するための手段】　本発明に係る複写装置は、複数の色成分の画像信号に基づいてカラー画像を形成する複写装置であって、任意の色を登録でき、この登録色を原稿の色に関する複写編集処理に利用して画像形成を行い得る複写装置において、少なくとも複写スタートを指令する操作手段が配設された操作パネルと、前記登録色に相当する信号を複数記憶する記憶手段と、複数の任意の登録色に相当する信号を前記記憶手段に登録させる任意色登録手段と、該任意色登録手段で登録された複数の登録色から１つを選択し、選択された任意の登録色に相当する信号の読出しを指令する前記操作パネルに設けられた読出し指令手段と、前記読出し指令手段にて読出された登録色に相当する信号に基づいて原稿画像に色編集を施して複写する編集複写手段とを備え、前記複数の任意の登録色がプリントされた用紙を前記操作パネルに配設するように構成してあることを特徴とする。」と訂正する。
ウ．訂正事項ｃ
　特許明細書の段落【０００５】に係る記載を
「複写装置に登録された複数の任意の登録色に応じた所定形状の色パターン画像が、操作パネルに配設される。」と訂正する。
エ．訂正事項ｄ
　特許明細書の段落【００９４】に係る記載を
「【発明の効果】　以上の如く本発明に係る複写装置においては、複数の任意の登録色がプリントされた用紙を操作パネルに配設することが出来て、登録色を間近において目視で確認しつつその適否を判断することが出来ることとなり、誤った色の選択を防止出来る効果がある。」と訂正する。
　
２．２　訂正の目的の適否、新規事項の有無、及び特許請求の範囲の拡張・変更の存否
　訂正事項ａは、請求項１の記載に、複写装置が「操作パネル」を有することを限定事項として追加することを目的として、「少なくとも複写スタートを指令する操作手段が配設された操作パネルと、」の記載を加え、「登録色に相当する信号」が複数であることに限定することを目的として、「前記登録色に相当する信号を記憶する記憶手段と、」の記載を「前記登録色に相当する信号を複数記憶する記憶手段と、」と訂正し、「任意の登録色に相当する信号を前記記憶手段に登録させる任意色登録手段と、」の記載を「複数の任意の登録色に相当する信号を前記記憶手段に登録させる任意色登録手段と、」と訂正し、さらに、「読出し指令手段」が操作パネル上にあることに限定することを目的として、「該任意色登録手段で登録された任意の登録色に相当する信号の読出しを指令する読出し指令手段と、」の記載を「該任意色登録手段で登録された複数の登録色から１つを選択し、選択された任意の登録色に相当する信号の読出しを指令する前記操作パネルに設けられた読出し指令手段と、」と訂正し、また、「任意の登録色がプリントされた用紙」の配設位置を減縮することを目的として、「前記任意の登録色がプリントされた用紙を操作パネル近傍に配設するように構成してある」の記載を「前記複数の任意の登録色がプリントされた用紙を前記操作パネルに配設するように構成してある」と訂正するものである。
　したがって、前記訂正はいずれも特許請求の範囲の記載に限定事項を加えるものであって、全体としても特許請求の範囲を減縮するものであるから、訂正事項ａは特許法第１２０条の４第２項但し書き第１号に規定する特許請求の範囲の減縮を目的とするものである。
　
　訂正事項ｂないしｄは、訂正された特許請求の範囲の記載に整合するように、特許明細書の記載を訂正するものであり、特許法第１２０条の４第２項但し書き第３号に規定する明りょうでない記載の釈明を目的とするものである。
　
　また、前記訂正事項における、操作パネルを有することは、特許明細書の段落【００１０】に、登録色が複数であることは段落【００８１】、【００８４】および【００７８】に、登録色がプリントされた用紙を操作パネルに配設することは段落【００１０】に、それぞれ記載されているから、前記訂正事項はいずれも特許明細書の記載事項の範囲内の訂正であり、新規事項の追加に該当せず、実質的に特許請求の範囲を拡張しまたは変更するものではない。
　
２．３　むすび
　以上のとおりであるから、前記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立についての判断
３．１　申立の理由の概要
　申立人相原光政は、本件請求項１に係る特許発明に対して、証拠として甲第１号証（特開昭６３−１０６７６２号公報）を提出し、本件請求項１に係る特許発明は、甲第１号証に記載の発明に基づいて、当業者が容易に発明することができたものであり、特許法第２９条第２項の規定により特許を受けることができないものであるから、請求項１に係る特許は同法第１１３条第２号により取り消されるべきものである旨主張している。
　
３．２　本件発明
　本件請求項１に係る発明は、訂正明細書の特許請求の範囲の請求項１に記載されたとおりのもの（前記「２．１　ア．訂正事項ａ」参照）である。
　
３．３　当審の判断
Ａ．引用刊行物の記載事項
　先の取消理由通知において引用した刊行物１（特開昭６３−１０６７６２号公報：甲第１号証）には、以下の事項が記載されている。
(a) 「本発明はカラー画像形成装置に係り、特に原稿上の領域及びその領域の色指定ができるカラー画像形成装置に関する。」（第１頁右下欄第３〜５行）、
(b) 「また操作性の点からみて、色指定スイッチには、その色に対応した色を塗布することが望ましいが、出力される色とスイッチの色とを一致させることは困難であり、微妙な色の差が問題となる場合は不都合が生じる。」（第２頁右上欄第７〜１１行）、
(c) 「第１図は本実施例の複写機の構成図である。」（第２頁右下欄第２行）、
(d) 「１０５（１０６の誤り）は操作部で、複写動作の開始指示や、座標入力装置１０５上における原稿上の領域指定あるいは色指定等の動作指示入力等を行う。」（第３頁左上欄第３〜６行）、
(e) 「［印刷部の説明　（第５図）］　第３図（第５図の誤り）は印刷部１０３の具体的構成を示す図である。色処理部１０２よりのＹ（黄）、Ｍ（マゼンタ）、Ｃ（シアン）、ＢＫ（黒）の各画像信号がレーザドライバに入力され、印刷部１０３の半導体レーザ５０を駆動する。半導体レーザ５０により出力されたレーザ光は、ポリゴンミラー５１により、ミラー５２を介して感光体ドラム５３上を走査して潜像を形成する。感光体ドラム５３は図中矢印の方向に回転し、回転現像器５４によりＹ．Ｍ．Ｃ．ＢＫの順に各色ごと現像される。第５図はイエロー（Ｙ）トナーを現像しているところである。一方転写紙５５は転写ドラム５６に巻回されてＹ．Ｍ．Ｃ．ＢＫの順に１回ずつ回転し、計４回回転して１枚分の画像データが転写される。転写が終了すると転写紙５５は転写ドラム５６からはなされ、定着ローラ対５７に送られて定着され、プリント画像が形成される。」（第３頁右上欄第６行〜左下欄第９行）、
(f) 「［色指定の説明　（第６図）］　第６図はカラー原稿による色指定の方法を示したものである。図中、１は色付けを行う領域を指定する領域指定用デジタイザ、２はデジタイザ１上で座標位置を指示するペン、３は実際に読取って印刷される原稿である。４は色指定用のカラー原稿、５は領域指定用のスイッチである。１０１は前述した画像入力部である。従来例と同様にして、原稿３の領域６０を指定する。これは領域指定スイッチ５を押下後、指示ペン２により領域６０の対角位置を指示して指定する。次にカラー原稿４をデジタイザ１上に図の如く載置して、例えば点Ｐを指示すると、デジタイザ２より制御部１００にＰ点の位置座標が送出され、制御部のＲＡＭに記憶される。この後カラー原稿４を画像入力部１０１に下向きに載置して色を読み込む。この時、制御部１００はＲＡＭに記憶されているデジタイザ１上で指示されたＰ点の座標をもとに、カラー原稿４のＰ点の色情報を読取り、色情報メモリ１０４に記憶する。これにより原稿３の実際の複写動作時には、原稿３の指定された領域６０がカラー原稿４のＰ点の色で印刷されることになる。」（第３頁左下欄第１０行〜第４頁左上欄第１行）、
(g) 「前述の場合と同様にして、指示ペン２で原稿３上の所望領域６０を指定し、あらかじめ用意されているカラーパッチ７０を、図に示す如くデジタイザ１の所定位置に載置する。カラーパッチ７０には、複写装置が表現可能な色の見本が配列されており、先に指定した原稿３の領域６０内の画像に与えるべき色をその中から選択し、指示ペン２でその色を指示する。」（第４頁左上欄第７〜１４行）、
(h) 「制御部１００には座標値に対応して色情報が記憶されており、デジタイザ１より与えられた座標値から、色を選定することができる。」（第４頁右上欄第１〜３行）、
(i) 「さらにこれらの色指定用カラーパッチを、制御部内で作成して複写装置そのもので印刷すれば、カラーパッチの各色と、複写装置の出力とは完全に一致する為、正確な色指定を行うことができる。」（第４頁左下欄第７〜１１行）
が、それぞれ図面と共に記載されている。
　これらの記載から刊行物１には、「複数の色成分の画像信号に基づいてカラー画像を形成する複写機であって、あらかじめ用意された色を記憶でき、この記憶色を原稿の色に関する複写編集処理に利用して画像形成を行い得る複写機において、少なくとも複写動作の開始指示をする操作部と、前記あらかじめ用意された色に相当する信号を複数記憶する制御部と、前記複数の記憶色から１つを選択し、選択された記憶色に相当する信号の読出しを指令するカラーパッチ、デジタイザおよび制御部と、前記制御部にて読出された記憶色に相当する信号に基づいて原稿画像に色編集を施して複写する編集複写手段とを備え、前記複数の記憶色がプリントされたカラーパッチをデジタイザに載置するように構成した複写機。」が記載されており、
　さらに、デジタイザで指定し、原稿入力部によって読み込んだ任意の色の色情報を色情報メモリに記憶し、複写動作時にはこの色により原稿の指定された領域を印刷することが記載されているものと認められる。
　
Ｂ．対比・判断
　刊行物１に記載の発明（以下、「引用発明」という。）と本件請求項１に係る発明（以下、「本件発明」という。）とを対比すると、以下の相違点を有するものと認められる。
相違点(a) ：　本件発明の複写装置では、複数の任意の色を登録することができ、複数の任意の登録色に相当する信号を記憶手段に登録させる任意色登録手段を有するのに対し、引用発明では、あらかじめ用意された色を記憶しているのであって、任意色の登録手段を有しない点。
相違点(b) ：　本件発明では、複数の任意の登録色がプリントされた用紙を前記操作パネルに配設するのに対し、引用発明では、あらかじめ用意された記憶色がプリントされたカラーパッチをデジタイザに載置する点、
　
　前記相違点について検討すると、
相違点(a) について、
　本件発明では、複数の任意の色を登録し、該複数の登録色の中から１つを選択して複写に使用するのであるから、登録色は、気に入った色を登録しておいて次回の複写時にもその色を呼び出して使用できるものである。
　これに対して、引用発明では、制御部にはあらかじめ用意された色が記憶されているだけであり、また、色情報メモリに記憶される色も、複写時に選択された色が記憶されて複写に使用されるものであり、複写終了後もその色情報を保存しておいて次回以降の複写にも使用できるというものではないから、本件発明の登録色に相当するものとはいえない。さらに、制御部に記憶されたカラーパッチに対応する色は、あらかじめ複写機が表現可能な色としてその色情報が記憶されているものであって、任意に変更あるいは追加して登録できるものではない。
　したがって、引用発明では、複数の任意の色を登録できる構成とはなっていないから、「複数の任意の登録色に相当する信号を前記記憶手段に登録させる任意色登録手段」は存在しない。また、複数の任意の色を登録するということ自体が存在しないのであるから、「複数の登録色から１つを選択」すること、および「複数の任意の登録色がプリントされた用紙」に相当する構成も存在しない。
相違点(b) について、
　本件発明においては登録色は任意に登録された色であるから、登録した人以外の者にとってはどのような色が登録されているのか不明である。そのため、任意に登録された色を実際に複写した用紙を色見本として操作パネルに配設することによって登録した人以外の者も登録された色を実際に確認することができる。
　これに対して、引用発明では、記憶されている色はあらかじめ用意されて装置に設定されている色であって、どのような色が設定されているかは添付のカラーパッチによって示されており、その色が使用者によって変更されることはない。それ故、引用発明において、カラーパッチをプリントすることは添付されたカラーパッチの印刷による色の誤差及び時間経過による変色等のカラーパッチの色が実際の色とずれているときに本来の色を知るために行われるものと考えられる。そして、カラーパッチをデジタイザに載置するのは複写に使用する色を指定するためであって、複写機に記憶されている色を確認するためとはいえない。
　
　したがって、本件発明と引用発明とはその目的とするところも異なるものであって、引用発明において、あらかじめ用意されて記憶された色を使用者によって任意に追加または変更して登録することの必要性を示唆する記載も認められない。
　そして、本件発明は、相違点(a) および(b) に係る構成を有することによって、その他の構成と相俟って明細書に記載の効果を奏するものと認められる。
　以上のとおりであるから、本件発明は、引用発明及び周知技術に基づいて当業者が容易に発明できたものとすることはできない。
　
３．４　申立人の主張に対する当審の見解
　申立人は、甲第１号証の任意に指定された点Ｐの色情報が色情報メモリ１０４に記憶する構成は、本件発明における「任意の色の登録」に相当する旨主張しており、（主張１）
　さらに、「本件特許発明の構成Ｇにおいて、構成Ｃ、Ｄによって任意に登録された登録色が用紙にプリントされるのに対して、甲第１号証ではカラーパッチ７０に印刷される色は制御部１００において記憶されている色情報とあるだけで、任意に指定、登録された色であるとの明瞭な記載が無い点で一応相違する。
　しかしながら、甲第１号証には、(1）デジタイザ１とカラー原稿４を用いて色情報を色情報メモリ１０４に記憶する（登録する）こと、(2）複数の記憶された色情報からカラーパッチ７０を印刷して色の選択に用いることの２点が開示されており、カラーパッチ７０の印刷に用いる色情報として、デジタイザ１とカラー原稿４を用いて記憶（登録）した色を用いてカラーパッチ７０を印刷するように構成する程度のことは当業者であれば容易に想到し得ることである。」との主張をしている。（主張２）
　
　これらの主張に対して以下のとおり当審の見解を述べる。
　主張１に対しては、前記「３．３　Ｂ．相違点(a) について」のところで述べたとおりであり、甲第１号証の点Ｐの色情報を色情報メモリに記憶する構成は、本件発明の「任意の色の登録」とは異なるものと認められる。
　主張２に対しては、前記「３．３　Ｂ．相違点(a) について」で述べたように、引用発明においては、任意の色を登録できるようにするという技術思想自体が存在しないから、本件発明の複数の任意の色を登録しておくということが引用発明から容易に想到できたものとは認められない。
　よって、申立人の主張は採用できない。
　
３．５　むすび
　以上のとおりであるから、特許異議申立の理由によっては本件請求項１に係る発明についての特許を取り消すことはできない。
　また、他に本件請求項１に係る発明についての特許を取り消すべき理由を発見しない。
　したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１月１０日（２００２．１．１０）
【訂正の要旨】
訂正の要旨
　特許第３０５２９６２号の特許明細書を本件訂正請求書に添付された訂正明細書のとおりに訂正する。すなわち、
（１）　特許請求の範囲の記載を
「【請求項１】　複数の色成分の画像信号に基づいてカラー画像を形成する複写装置であって、任意の色を登録でき、この登録色を原稿の色に関する複写編集処理に利用して画像形成を行い得る複写装置において、少なくとも複写スタートを指令する操作手段が配設された操作パネルと、前記登録色に相当する信号を複数記憶する記憶手段と、複数の任意の登録色に相当する信号を前記記憶手段に登録させる任意色登録手段と、該任意色登録手段で登録された複数の登録色から１つを選択し、選択された任意の登録色に相当する信号の読出しを指令する前記操作パネルに設けられた読出し指令手段と、前記読出し指令手段にて読出された登録色に相当する信号に基づいて原稿画像に色編集を施して複写する編集複写手段とを備え、前記複数の任意の登録色がプリントされた用紙を前記操作パネルに配設するように構成してあることを特徴とする複写装置。」と訂正する。
（２）　特許明細書の段落【０００４】に係る記載を
「【課題を解決するための手段】　本発明に係る複写装置は、複数の色成分の画像信号に基づいてカラー画像を形成する複写装置であって、任意の色を登録でき、この登録色を原稿の色に関する複写編集処理に利用して画像形成を行い得る複写装置において、少なくとも複写スタートを指令する操作手段が配設された操作パネルと、前記登録色に相当する信号を複数記憶する記憶手段と、複数の任意の登録色に相当する信号を前記記憶手段に登録させる任意色登録手段と、該任意色登録手段で登録された複数の登録色から１つを選択し、選択された任意の登録色に相当する信号の読出しを指令する前記操作パネルに設けられた読出し指令手段と、前記読出し指令手段にて読出された登録色に相当する信号に基づいて原稿画像に色編集を施して複写する編集複写手段とを備え、前記複数の任意の登録色がプリントされた用紙を前記操作パネルに配設するように構成してあることを特徴とする。」と訂正する。
（３）　特許明細書の段落【０００５】に係る記載を
「複写装置に登録された複数の任意の登録色に応じた所定形状の色パターン画像が、操作パネルに配設される。」と訂正する。
（４）　特許明細書の段落【００９４】に係る記載を
「【発明の効果】　以上の如く本発明に係る複写装置においては、複数の任意の登録色がプリントされた用紙を操作パネルに配設することが出来て、登録色を間近において目視で確認しつつその適否を判断することが出来ることとなり、誤った色の選択を防止出来る効果がある。」と訂正する。
　訂正事項（１）は、特許請求の範囲の減縮を目的とするものである。
　訂正事項（２）ないし（４）は、訂正事項（１）の訂正に伴って、発明の詳細な説明の記載が不明りょうになることの釈明を目的とするものである。
（５４）【発明の名称】
複写装置
（５７）【特許請求の範囲】
　【請求項１】　複数の色成分の画像信号に基づいてカラー画像を形成する複写装置であって、任意の色を登録でき、この登録色を原稿の色に関する複写編集処理に利用して画像形成を行い得る複写装置において、
　
少なくとも複写スタートを指令する操作手段が配設された操作パネルと、
　前記登録色に相当する信号を
複数
　
複数の
　該任意色登録手段で登録された
複数の登録色から１つを選択し、選択された
前記操作パネルに設けられた
　前記読出し指令手段にて読出された登録色に相当する信号に基づいて原稿画像に色編集を施して複写する編集複写手段と
　を備え、
　前記
複数の
前記操作パネルに
【発明の詳細な説明】
　【０００１】
　【発明の属する技術分野】
　本発明は複写装置に関し、更に詳述すればフルカラーの複写画像を得ることが可能な複写装置に関する。
　【０００２】
　【従来の技術】
　カラーのＣＣＤイメージセンサを読取部に用いるフルカラーの複写装置では、原稿画像の特定部分の色を記憶保持しておけるものが開発されており、これにより、例えば他の原稿の複写時に、画像の所望部分の色を記憶しておいた色に変更する等の編集処理が可能になっている。
　【０００３】
　【発明が解決しようとする課題】
　ところで、上述の如き編集処理を行う場合には、オペレータは予め複写装置にどのような色が記憶登録されているかが分からないと、不本意な色が出力されてしまうことになる。
　ところが、従来装置においては、色を登録したオペレータ本人しか色の内容が分からず、他のオペレータは登録されている色の内容を確認することができなかった。
　本発明は斯かる事情に鑑みてなされたものであり、登録されている色の内容を的確にオペレータに理解せしめることが可能な複写装置の提供を目的とする。
　【０００４】
　【課題を解決するための手段】
　本発明に係る複写装置は、複数の色成分の画像信号に基づいてカラー画像を形成する複写装置であって、任意の色を登録でき、この登録色を原稿の色に関する複写編集処理に利用して画像形成を行い得る複写装置において、
少なくとも複写スタートを指令する操作手段が配設された操作パネルと、
複数
複数の
複数の登録色から１つを選択し、選択された
前記操作パネルに設けられた
複数の
前記操作パネルに
　【０００５】
　複写装置に登録され
た複数の任意の登録色の応じた
が
に
　【０００６】
　【発明の実施の形態】
　以下、本発明をその実施の形態を示す図面に基づき具体的に説明する。
　図１は本発明に係る複写装置の縦断面構造図であり、図中２２は原稿の画像を読み取るためのイメージリーダ部、２３は画像情報に基づいて実際の複写動作を行うエンジン部である。
　【０００７】
　イメージリーダ部２２は、原稿ガラス１５上にセットされた原稿の光学像を読取るスキャナ部１０、スキャナ部１０を水平に移動させる走査モータ１１、スキャナ部１０からの画像信号を処理する画像信号処理回路２１３等にて構成されている。またスキャナ部１０は、原稿ガラス１５を通して原稿面を照射する光源１２，原稿面からの反射光を捉える集束性ロッドレンズアレイ１３及びこれからの出射光を捉えるカラーＣＣＤリニアイメージセンサ１４を備えており、原稿面の画像データはカラーＣＣＤリニアイメージセンサ１４にて電気信号に変換された後、画像信号処理回路２１３にて信号処理されてレーザダイオード駆動回路２１４に送られ、レーザダイオード（図示せず）の点灯・消灯信号としてポリゴンミラー３１，平面ミラー３７を介して、感光ドラム４１上に投射され、露光が行われる。
　【０００８】
　感光ドラム４１は反時計方向である矢符方向に回転駆動されるように構成されており、その周囲には回転駆動域の上方に位置して帯電チャージャ４３が配設され、感光ドラム４１は帯電チャージャ４３にて帯電を受けた後に露光を受ける。感光ドラム４１の周囲には帯電チャージャ４３の下流側に、余分なトナーの付着を防止するＬＥＤアレイ４４が設けられており、ＬＥＤアレイ４４の下流側には、イエロー，シアン，マゼンタ，ブラックの各現像器４５ａ，４５ｂ，４５ｃ，４５ｄがこの順序で配設されている。イメージリーダ部２２から色分解された光学像が照射され、照射された部分の電位が降下し、次の工程の現像器４５ａ，４５ｂ，４５ｃ，４５ｄによる現像においてトナーが照射を受けない部分に付着して作像される。感光ドラム４１の下側には、トナー像を複写用紙に転写する転写チャージャ４６が設けられている。また帯電チャージャ４３の上流側に、感光ドラム４１の残留電荷を除去するイレーサランプ４２が設けられている。
　【０００９】
　エンジン部２３は、感光ドラム４１に加えて転写ドラム５１，定着器４８，排出トレイ４９，２個の給紙トレイ５０等を具備している。転写ドラム５１は感光ドラム４１に近接してこれと平行に配設されており、周面には被転写体たる複写用紙を保持するためのチャッキング爪５２を備え、矢符方向に回転駆動される。給紙トレイ５０から引出された複写用紙はイメージリーダ部２２による読取り動作に同期してその先端部をチャッキング爪５２にて転写ドラム５１周面に固定され、次いで感光ドラム４１のトナー像が転写チャージャ４６と対向するのに同期して複写用紙の先端部も転写チャージャ４６に達し、トナー像が順次複写用紙上に転写される。感光ドラム４１，転写ドラム５１の１回転目にはイエローのトナーに対して転写の工程が行われ、２回転目にマゼンタ，３回転目にシアン，４回転目にブラックの順序にて各色のトナーに対して転写の工程が行われる。１枚の複写用紙に対して４回の転写工程が終了すると、チャッキング爪５２が緩められ、複写用紙は、分離爪４７にて転写ドラム５１周面から引き剥がされ、定着器４８にて定着された後、排出トレイ４９上に排出される。
　【００１０】
　図２は複写装置の操作パネル３００の模式的平面図であり、操作パネル３００の手前側には複写枚数等を置数するテンキー３０１〜３１０、置数の解除及びマルチコピーの中断を指示するクリア／ストップキー３１１、複写スタートを指令するプリントキー３１２が配設されている。また操作パネル３００の右側の面には、複写モードメニュー等の選択を行うジョイボール３１３、ジョイボール３１３にて選択された複写モードメニュー等を確定させるセットキー３１４、セットキー３１４により確定された内容を解除するキャンセルキー３１５、原稿画像を液晶表示させるモニタキー３１６がジョイボール３１３を操作しながら押圧できるように近接して配設され、更に操作パネル３００の中央には操作に関するすべての内容を表示するドットマトリックス型（６４０×４００ドット）の液晶表示パネル２２２が、また、操作パネル３００の左側面には登録色のプリント内容をセットしてオペレータに表示する為の登録色セット部３１７が夫々配設されている。
　【００１１】
　図３はジョイボール３１３近傍の概略側面図、図４はジョイボール３１３の斜視図である。ジョイボール３１３は、３６０°のすべての方向にわたってある角度Θだけ倒れることができるステイック部３１３ａと、該ステイック部３１３ａの上部に取付けられた球の一部をなすボール部３１３ｂとから構成されており、ボール部３１３ｂは操作パネル３００の外装面からその一部が露出されていて、ジョイボール３１３に回転が与えられると、操作パネル３００の外装面に覆われている部分が露出されるようになっている。なお、スティック部３１３ａは図示しないスプリングにて、直立状態（Θ＝０）に自動復帰するようになっている。スティック部３１３ａのＸ方向，Ｙ方向各々の回転角度は、２個の可変抵抗器にて検知されており（図４参照）、後述するＡ／Ｄ変換Ｉ／Ｏ　２１８によりデジタルデータに変換され、後述する第３ＣＰＵ２０３によって判定され、各種の制御が行われる。
　【００１２】
　図５は本実施の形態の制御回路の系統図であり、エンジン部２３を制御する第１ＣＰＵ２０１、イメージリーダ部２２を制御する第２ＣＰＵ２０２、操作パネル３００を制御する第３ＣＰＵ２０３を中心にして構成されている。
　【００１３】
　第１ＣＰＵ２０１には、エンジン部２３の各所に設置されていて動作状態を検出するセンサ群２０６からの信号が、ＩＣ２０５を介して入力される。また逆にＩＣ２０８を介して、エンジン部２３の各種モータ，ソレノイド等を駆動する駆動回路群２０９へ制御信号を出力する。更に第１ＣＰＵ２０１は、画像信号処理回路２１３へも制御信号を出力する。
　【００１４】
　第２ＣＰＵ２０２へはイメージリーダ部２２の各種状態を検知するセンサ群２１１からの信号が入力される。また第２ＣＰＵ２０２は、走査モータ１１の駆動回路２１０，ＣＣＤリニアイメージセンサ１４の周辺回路２１２，及び画像信号処理回路２１３を制御する。　ＣＣＤリニアイメージセンサ１４からの画像データは、画像信号処理回路２１３に与えられ、該画像信号処理回路２１３から処理された画像信号がデータバス２２６を介してレーザダイオード駆動回路２１４へ与えられる。
　【００１５】
　第３ＣＰＵ２０３へは、ジョイボール３１３を除く操作パネル３００の各種キーのキー入力がパラレルＩ／Ｏ　２１６を介して行なわれ、一方ジョイボール３１３の状態（ステイック部３１３ａの倒れ方向及びその角度の情報）はＡ／Ｄ変換Ｉ／Ｏ　２１８を介して第３ＣＰＵ２０３へ入力される。ＬＣＤコントローラ２２１を介して液晶表示パネル２２２が第３ＣＰＵ２０３に接続されており、各ドットが点灯，消灯の２値の何れかを選択することにより、液晶表示パネル２２２に様々な表示がなされる。画像信号処理回路２１３にて処理された画像信号は、データバス２２７を介して画像信号変換回路２２５へ入力され、画像信号変換回路２２５にて液晶表示のための信号に変換され、その変換信号はパラレルＩ／Ｏ　２２０を介して第３ＣＰＵ２０３で制御され、一旦ＲＡＭ２２４に格納される。そして必要に応じて第３ＣＰＵ２０３の制御によってＲＡＭ２２４から変換信号が読出されて、液晶表示パネル２２２に液晶表示される。またＲＡＭ２２４はこの他に、制御プログラムのワーキング用にも用いられ、ＲＯＭ２２３には、操作パネルの制御プログラム及び液晶表示データが格納されている。また第３ＣＰＵ２０３はシリアルＩ／Ｏ２１５を介して、第１ＣＰＵ２０１及び第２ＣＰＵ２０２とシリアル通信されている。
　【００１６】
　次に液晶表示パネル２２２の表示内容について説明する。
　図６は電源投入時における液晶表示パネル２２２の表示内容（以下表示Ｄ１という）を示す模式図であり、図において４０１はメニューカーソルのホームポジション位置を示すものである。また４０２ａ〜４０２ｈは各メニューを示すものであり、各メニューの左端にはメニューカーソルの点灯位置４０１ａ〜４０１ｈが設けられており、ジョイボール３１３の操作にて任意のメニューが選択されると、この選択されたメニューに対応する位置４０１ａ〜４０１ｈの１つが黒く反転する。なお図６では、メニューカーソルがホームポジションにある状態を示している。また図中４０３は、テンキー３０１〜３１０にて設定される複写枚数を示す複写枚数表示であり、例えば１〜９９の数字が表示される。４０４は「倍率指定」メニュー４０２ａの機能にて決定された倍率を表示する複写倍率表示であり、４０５は「用紙指定」メニュー４０２ｂの機能にて選択されている給紙トレイ５０内の用紙サイズを示す複写用紙サイズ表示である。また４０６はそのときの複写装置の状態，または複写装置に対して施すべき処理を文字，絵文字等にて表示するインフォメーション表示であって、４０７は「濃度調整」メニュー４０２ｃの機能にて選択設定された複写濃度を示す複写濃度レベル表示であり、濃度レベルは７段階に分けられている。
　【００１７】
　図７は、図６の状態において画像編集メニュー４０２ｄを選択した場合の液晶表示内容（以下表示Ｄ２という）を示す模式図である。図６にあってメニューカーソルは最初ホームポジション４０１に位置しているが、ここでジョイボール３１３にＹ（−）の方向（図２の手前方向）の回転を与えると、メニューカーソルは４０１ａ→４０１ｂ→４０１ｃ→４０１ｄの順に移動し、続いてＹ（＋）方向の回転を与えると、メニューカーソルは４０１ｄ→４０１ｃ→４０１ｂ→４０１ａの順に移動する。またメニューカーソルが４０１ｄにある状態で、ジョイボール３１３にＸ（＋）方向の回転を与えると、メニューカーソルは４０１ｄ→４０１ｅ→４０１ｆ→４０１ｇ→４０１ｈの順に移動し、続いてＸ（−）方向の回転を与えると、メニューカーソルは４０１ｈ→４０１ｇ→４０１ｆ→４０１ｅ→４０１ｄの順に移動する。
　【００１８】
　メニューカーソルが４０１ａの位置にあるときにセットキー３１４をオンすると、倍率を設定するための指示がなされる。このときテンキー３０１〜３１０により倍率を設定した後、セットキー３１４をオンすることにより、複写倍率が設定される。倍率設定は、ジョイボール３１３を用いて行ってもかまわない。つまり、ジョイボール３１３をＹ方向に回転させると倍率設定値が０．００１単位毎に増減するので、所望の倍率値を示す時点にてセットキー３１４をオンすることにより、複写倍率が設定される。なおスキャナ部１０の走査速度は、等倍時を１とすれば、設定倍率をＭとしたときに１／Ｍであり、スキャナ部１０の走査方向に関しては、光学的に変倍を行う。一方、走査方向と垂直な方向（ＣＣＤリニアイメージセンサ１４の各受光素子の並設方向）に関しては、画像信号処理回路２１３にて読取られた画像に対して縮小／拡大の処理が行われる。
　【００１９】
　次に、メニューカーソルが４０１ｂの位置にあるときにセットキー３１４をオンすると、上下２段の給紙トレイ５０のうちの何れか一方を選択するように指示がなされる。このとき、後述する用紙サイズ検出機構にて上段，下段の各給紙トレイ５０の用紙サイズも表示され、ジョイボール３１３を回転させることによって給紙トレイ５０の選択を行い、セットキー３１４をオンすることにより、用紙サイズの設定は終了する。
　【００２０】
　さらにメニューカーソルが４０１ｄの位置に達したときに、セットキー３１４をオンすると、図７に示す画面が得られる。この画面では、各メニュー４１２ａ〜４１２ｇ，各メニューに対応する点灯位置４１１ａ〜４１１ｇ，インフォメーション表示４０６以外に、イメージリーダ部２２により読取られた原稿画像が概略表示される画像モニタエリア４１３が現れる。
　【００２１】
　図８は、図７の状態においてエリア編集メニュー４１２ａを選択した場合の表示内容（以下表示Ｄ３という）を示す模式図である。図７の状態において、ジョイボール３１３を回転させてメニューカーソルを４１１ａに移動し、そこでセットキー３１４をオンすると、図８に示すような画面が現れる。この画面におけるメニューは４２２ａ〜４２２ｃの３種類である。ここで「モニタレベル」のメニュー４２２ｃは、画像モニタ表示において、原稿画像データから表示データへ変換する際のしきい値となる比較データを変更するためのメニューであり、比較データの濃度度合はモニタレベル表示４２３に７段階にて示される。
　【００２２】
　図９は、図８の状態においてインフォメーション表示に従って画像モニタ表示を完了した際の表示内容（以下表示Ｄ４という）を示す模式図である。図８においてインフォメーション表示に応じて、原稿ガラス１５上に原稿をセットしてモニタキー３１６をオンすると、スキャナ部１０は原稿を走査し、その走査が終了すると原稿画像が画像モニタエリア４１３に表示される。原稿画像が表示されている状態にて、トリミングメニュー４２２ａを選択すると、画像モニタエリア４１３内に位置指定カーソル４３１が現れる。またこの際、画像モニタエリア４１３には、選択されている用紙サイズに基づいて実際に複写される領域を示す有効画像エリア枠４２４と、原稿端を示す原稿枠４２５とが、原稿画像に合せて表示されている。
　【００２３】
　図１０は、図９の状態において実際にトリミングモードのエリア設定を行っている場合における表示内容（表示Ｄ５という）を示す模式図である。ジョイボール３１３を回転させて位置指定カーソル４３１を図９に示す位置から移動させて、図１０に示す位置４４１に設定してセットキー３１４をオンすると、位置指定カーソル４３１はその位置４４１に固定表示される。更にジョイボール３１３を回転させて位置指定カーソル４３１をこの位置４４１から位置４４２に移動させ、セットキー３１４をオンすると、位置指定カーソル４３１はその位置４４２に固定表示される。このようにして固定表示された２点を対角線の両端とする四角形４４３をトリミングの設定エリアとする。
　【００２４】
　図１１は、図１０の状態において２点目の位置設定を完了した後にセットキー３１４をオンとした場合における表示内容（以下表示Ｄ６）を示す模式図である。トリミングのエリアを設定した後にセットキー３１４をオンすると、設定エリア内の画像（Ａ）を残して残りの画像は消去される。この際、残された画像が複写可能であるかどうかを容易に判別できるように、有効画像エリア枠４２４は表示されたままである。ここでトリミングモードにおけるエリア設定が終了したので、インフォメーション表示４０６には「コピーできます」と表示される。
　【００２５】
　トリミングモードにて１個所のエリア設定を行った後に、更にトリミングモードにて別エリアの設定を行う場合の手順とその際の液晶表示パネル２２２の表示内容について説明する。
　１個所のエリア設定を行った後（図１１に示す表示Ｄ６）に、まずセットキー３１４をオンして、図９（表示Ｄ４）に示すように原稿の原画像を画像モニタエリア４１３に再び表示させる。するとこのときに位置指定カーソル４３１が前回のエリア設定における２点目の位置４４２（図１０参照）に現れ、前回の設定エリアを示す長方形４４３が現れて、インフォメーション表示は「エリアを設定してください」となる。次いで前述の第１回目のエリア設定時と全く同様に、ジョイボール３１３を回転して位置指定カーソル４３１を所望の位置に移動し、セットキー３１４をオンして今回の設定エリアの１点目を指定する。次に同様にして今回の設定エリアの２点目を指定する。そうすると画像モニタエリア４１３では、前回の設定エリア内と今回の設定エリア内との原稿画像を残して残りの画像は消去され、インフォメーションは「コピーできます」となる。
　このような動作の繰り返しによって、第３回目，第４回目，…のエリア設定が可能である。
　【００２６】
　トリミングモードの設定エリア内にイレースエリアを設定する手順及びその際の液晶表示パネル２２２の表示内容について説明する。
　まずジョイボール３１３をＹ（−）方向へ回転して４２１ｂが点灯するようにメニューカーソル４２１ａを移動させ、セットキー３１４をオンして、トリミングモードからイレースモードにモード変更する。次いでトリミングモードのエリア設定時と全く同様の動作を行なって、イレースモードのエリアを設定する。
　【００２７】
　図１２は、エンジン部２３の制御を行う第１ＣＰＵ２０１のメインルーチンを示すフローチャートであって、まず電源が投入されると、ステップＳ１１で以後のサブルーチン内にて使用される各種タイマ，フラグ，カウンタ等を初期状態に設定した後、以下の処理の基準時間となる内部タイマー値を設定してスタートさせる（ステップＳ１２）。複写用紙を給紙トレイ５０から供給して転写ドラム５１周面にその用紙を保持し、トナー像の転写が完了すると、分離爪４７にて転写済みの用紙を転写ドラム５１から分離して定着器４８を経て排出トレイ４９に排出するという、複写用紙の一連の搬送を行う（ステップＳ１３）。
　【００２８】
　帯電，現像等のような感光ドラム４１周辺の制御を行い（ステップＳ１４）、定着器４８の温度制御を行い（ステップＳ１５）、給紙トレイ５０内の用紙サイズを検出し（ステップＳ１６）、第２ＣＰＵ２０２，第３ＣＰＵ２０３とのシリアル通信を行い（ステップＳ１７）、内部タイマーの終了を待ってステップＳ１２に戻り再度内部タイマーをスタートさせる（ステップＳ１８）。
　【００２９】
　図１３は、イメージリーダ部２２の制御を行う第２ＣＰＵ２０２のメインルーチンを示すフローチャートであって、まず電源が投入されると、ステップＳ２１で以後のサブルーチン内にて使用される各種タイマ，フラグ，カウンタ等を初期状態に設定した後、以下の処理の基準時間となる内部タイマー値を設定してスタートさせる（ステップＳ２２）。第３ＣＰＵ２０３からの指示に応じて原稿走査を開始し（ステップＳ２３）、他のＣＰＵからのタイミング信号に合せて原稿走査を行なえるように、走査モータ１１の速度及び位置を制御する（ステップＳ２４）。走査動作に同期してＣＣＤ周辺回路２１２を制御し、カラーＣＣＤリニアイメージセンサ１４を駆動して画像信号を得る（ステップＳ２５）。得られた画像信号に、変倍等の種々の処理を加え（ステップＳ２６）、第１ＣＰＵ２０１とのシリアル通信を行い（ステップＳ２７）、内部タイマーの終了を待ってステップＳ２２に戻り再度内部タイマーをスタートさせる（ステップＳ２８）。
　【００３０】
　図１４は、操作パネル３００の制御を行う第３ＣＰＵ２０３のメインルーチンを示すフローチャートであって、まず電源が投入されると、ステップＳ３１で以後のサブルーチン内にて使用される各種タイマ，フラグ，カウンタ等を初期状態に設定した後、以下の処理の基準時間となる内部タイマー値を設定してスタートさせる（ステップＳ３２）。ＬＣＤコントローラ２２１へ表示画像データ，コマンドを与えることによって、液晶表示パネル２２２の表示を行う（ステップＳ３３）。操作パネル３００上の各種キー３０１〜３１２，３１４〜３１６のオン・オフの状態を判定し、その内容をパラレルＩ／Ｏ　２１６を介してＲＡＭ２２４へ格納する（ステップＳ３４）。ジョイボール３１３の回転状態を判定して、その内容をＡ／Ｄ変換Ｉ／Ｏ　２１８を介してＲＡＭ２２４へ格納すると共に、後述するようなフラグを作成する（ステップＳ３５）。画像信号変換回路２２５にて変換処理を受けた画像信号をパラレルＩ／Ｏ　２２０を介してＲＡＭ２２４へ格納する（ステップＳ３６）。基本コピーモード時における各種の処理を、ステップＳ３４，Ｓ３５の入力処理に応じて行い（ステップＳ３７）、画像編集コピーモード時及び色編集コピーモード時における各種の処理を、ステップＳ３４，Ｓ３５，Ｓ３６の入力処理に応じて行い（ステップＳ３８及びＳ３９）、画質調整状態時の各種の処理を、ステップＳ３４，Ｓ３５の入力処理に応じて行い（ステップＳ４０）、第１ＣＰＵ２０１，第２ＣＰＵ２０２とのシリアル通信を行ない（ステップＳ４１）、内部タイマーの終了を待ってステップＳ３２に戻り再度内部タイマーをスタートさせる（ステップＳ４２）。
　【００３１】
　図１５は図１３のステップＳ２３の走査開始ルーチンの内容を示すフローチャートであり、この処理は、実際の複写動作のための走査開始（ステップＳ２３１）と原稿画像モニタのための走査開始（ステップＳ２３２）とに分かれている。なお、Ｓ２３１では、モニタ要求時には実際の複写動作をキャンセルするようになっている。
　【００３２】
　図１６は図１５のステップＳ２３２のモニタスタートルーチンの内容を示すフローチャートである。第３ＣＰＵ２０３からのモニタ要求はシリアル通信によって第２ＣＰＵ２０２へ伝達され、その要求を受け取ると（ステップＳ２３２１　ＹＥＳ）、データバス２２６を無効としてデータバス２２７を有効とする（ステップＳ２３２２）。つまりこのとき、原稿走査を行った際にカラーＣＣＤイメージセンサ１４にて得られる画像信号は、画像信号処理回路２１３にて処理された後、画像信号変換回路２２５へ送られる。次いで後述するモニタ比較データを設定した後（ステップＳ２３２３）、倍率１．０００倍，走査長４２０ｍｍ（Ａ３Ｔ長）にて原稿の走査要求を行う（ステップＳ２３２４）。
　【００３３】
　次いでステップＳ２４（図１３参照）において、倍率値，走査長に基づいて走査モータ１１が駆動され、原稿走査が行われて画像信号変換回路２２５にて変換を受けた後、パラレルＩ／Ｏ　２２０を介してＲＡＭ２２４に画像信号が格納される。また、この走査において得られる画像信号に基づいて原稿サイズ（位置）の検出が行われる。
　【００３４】
　図１７，図１８，図１９は画像信号変換回路２２５の動作内容を説明するための模式図である。ＣＣＤリニアイメージセンサ１４の読取りは１６ｄｏｔｓ／ｍｍにて各ｄｏｔ　８ｂｉｔｓ（階調）で行われるのに対して、液晶表示パネル２２２への表示においては原稿１ｍｍを液晶１ｄｏｔに対応させて点灯・消灯の２値にて行うこととし、画像信号変換回路２２５はこのために画像信号を変換する。図１７は画像読取信号，図１８は画像表示用信号を示しており、読取りの際には１／１６ｍｍ四方毎に８ｂｉｔｓの画像信号を得ているが、表示用として用いる信号は１ｍｍ四方毎に１回（８ｂｉｔｓ）のみの信号としている。
　【００３５】
　図１９においてまず画像信号変換回路２２５は、画像信号処理回路２１３からの８ｂｉｔｓの画像信号（ａ）を１６分周して必要な８ｂｉｔｓの画像信号（ｂ）を選択抽出する。この８ｂｉｔｓの画像信号（ｂ）の上位４ｂｉｔｓと第２ＣＰＵ２０２から指示される４ｂｉｔｓのモニタ比較データ（ｅ）とを比較し、その比較結果を１ｂｉｔのデータ（ｃ）にて出力する。画像信号の上位４ｂｉｔｓがモニタ比較データより大きい場合には“１”として、以下の場合には“０”として１ｂｉｔのデータ（ｃ）を出力する。そして“１”が出力されたときには液晶が点灯され、“０”が出力されたときには液晶が消灯される。例えば画像信号（ａ）が２進法にて（ａ）＝１００１００１１であるとすると、ＳＬ（比較データ）＝８＝１０００（２進法）の場合には“１”が出力されて液晶は点灯し、ＳＬ＝１０＝１０１０（２進法）の場合には“０”が出力されて液晶は消灯する。
　【００３６】
　更にこの１ｂｉｔのデータ（ｃ）を順に蓄積して８ｂｉｔｓのパラレルデータ（ｄ）とし、パラレルＩ／Ｏ　２２０を介してＲＡＭ２２４へ出力して収納する。例えば２９７ｍｍ×４２０ｍｍのＡ３サイズとすると、この際の出力の順序は（Ｔ−１，Ｙ−１）→（Ｔ−２，Ｙ−１）→…→（Ｔ−２９７，Ｙ−１）→（Ｔ−１，Ｙ−２）→…→（Ｔ−２９７，Ｙ−４２０）の順であって、ＲＡＭ２２４には２９７×４２０＝１２４．７４（ｋｂｉｔｓ）の画像データが収納されることになる，第２ＣＰＵ２０２から指示される４ｂｉｔｓの比較データ（ｅ）は、表示濃度のしきい値レベルを示すデータであり、このデータは後述するように操作パネル３００におけるジョイボール入力にて可変であるので、モニタ画像を所望の濃度に調節することが可能である。
　【００３７】
　次に、原稿サイズ（位置）検出について説明する。図２０は原稿サイズを検出するための装置構成を示すブロック図、図２１はその原理を説明するための模式図である。１４はＣＣＤリニアイメージセンサであり、図２１において左右方向（ｘ方向）はスキャナ部１０（リニアイメージセンサ１４）の走査方向、上下方向（ｙ方向）はＣＣＤリニアイメージセンサ１４における各受光素子の並設方向である。
　【００３８】
　ＣＣＤリニアイメージセンサ１４にて読取られた原稿が載置されているかどうかに応じて、所定のしきい値にて２値化され、各画素の白／黒の結果が、ラインメモリ５１１の所定のアドレスに収納される。ラインメモリ５１１に収納された１ライン分のデータにつき、カウンタ５１２は、上位アドレスから順に（図２１Ａ方向）黒画素数を白画素が存在するまでカウントし、白画素があればそこでカウントを止める。また同様に、１ライン分のデータにつき、カウンタ５１４は、下位アドレスから順に（図２１Ｂ方向）黒画素数を白画素が存在するまでカウントし、白画素があればそこでカウントを止める。各カウンタ５１２，５１４は、所定値（１ライン分の全画素数）までカウント可能であり、走査モータ１１からの信号によってＣＣＤリニアイメージセンサ１４の走査がｘ方向に１ステップ進んだタイミングを検知すると、各々のカウント値を対応する各符号判別器５１３，５１５及び演算器５１６へ出力する。
　【００３９】
　各符号判別器５１３，５１５は、隣合うラインにおけるカウント値の差（今回のラインにおけるカウント値−前回のラインにおけるカウント値）の符号を判別し、その判別結果を演算器５１６へ出力する。演算器５１６へは、各カウンタ５１２，５１４から、カウント値も入力される。また５１７は、走査モータ１１からの信号によって、ＣＣＤリニアイメージセンサ１４のｘ方向の位置アドレスをカウントするカウンタであり、カウンタ５１７はこのカウント値を演算器５１６へ出力する。カウンタ５１７のインクリメントに合せて、前記両カウンタ５１２，５１４はリセットされ、次のラインにおけるカウントが開始される。
　【００４０】
　演算器５１６は、前記判別結果，各カウンタ５１２，５１４，５１７からのカウント値に基づいて、原稿の４頂点の位置（座標）を求め、次いで原稿の４辺の長さを演算し、その演算結果を比較器５１８へ出力する。比較器５１８には、定型の複写用紙のサイズが記憶されており、この演算結果と定形の複写用紙のサイズとを比較して、原稿サイズ（位置）を検出する。
　【００４１】
　次に、原稿サイズ（位置）検出の動作について、図２１に示すように原稿（４頂点Ｐ１，Ｐ２，Ｐ３，Ｐ４）が載置された例に基づき、具体的に説明する。図に示すようにｘ，ｙ座標系を設定し、各頂点の座標を、Ｐ１（ｘ１，ｙ１），Ｐ２（ｘ２，ｙ２），Ｐ３（ｘ３，ｙ３），Ｐ４（ｘ４，ｙ４）とする。ｘ＝０の位置から順にＣＣＤリニアイメージセンサ１４を１ラインずつ右方向に走査しながら、１ライン走査する度にＡ，Ｂ両方向から白画素に達するまで原稿外の画素（黒画素）をカウントする。ＣＣＤリニアイメージセンサ１４のｘ座標がｘｉのときのカウンタ５１２，５１４のカウント値を夫々Ａ（ｘｉ），Ｂ（ｘｉ）とすると、ｘｉ，Ａ（ｘｉ），Ｂ（ｘｉ）の値により、４頂点Ｐ１，Ｐ２，Ｐ３，Ｐ４の座標を検出する。
　【００４２】
　走査初期（Ｐ１に到達するまで）では、原稿が全く載置されていない領域であるので、両カウンタ５１２，５１４のカウント値は、１ライン分の全画素数であるが、Ｐ１に到達すると、両カウンタ５１２，５１４のカウント値がはじめて前記所定値（１ライン分の全画素数）より少なくなる。符号判定器５１３，５４１では各々Ａ（ｘｉ＋１）−Ａ（ｘｉ），Ｂ（ｘｉ＋１）−Ｂ（ｘｉ）の値を監視しており、Ｐ１に達したことはＡ（ｘｉ＋１）−Ａ（ｘｉ）の値が０以外の値をとることから判別できる。このときのカウンタ５１７からのカウント値（ｘ方向座標），カウンタ５１４からのカウント値（ｙ方向座標）により、Ｐ１の位置がわかる。次にＰ２については、Ｂ（ｘｉ＋１）−Ｂ（ｘｉ）の符号を調べることにより求められる。Ｐ２に達するまではこの差は負であるが、Ｐ２を通過した後はこの差は正となる。したがってこの差が負から正に変わる時点における両カウンタ５１４，５１７からのカウント値にて、Ｐ２の位置が検出される。
　【００４３】
　次いで、Ａ（ｘｉ＋１）−Ａ（ｘｉ）の符号が負から正に変わる時点における両カウンタ５１４，５１７からのカウント値にて、Ｐ４の位置を検出できる。最後に両カウンタ５１２，５１４のカウント値が所定値にもどった時点における両カウンタ５１４，５１７からのカウント値にて、Ｐ３の位置を検出できる。
　このようにして求められた４頂点の座標を用い、演算器５１６にて原稿の４辺の長さを検出する。まずバーＰ１Ｐ２を下記（１）式に基づいて演算し、他の３辺の長さも（１）式と同様の計算式にて演算する。
　【００４４】
　【数１】
　【００４５】
　最後に、演算された４辺の長さと定形の複写用紙のサイズとを比較器５１８にて比較し、原稿のサイズを検出する。なお、図２０に示したブロック図は図５に示す画像信号処理回路２１３の一部であり、比較器５１８の出力は第２ＣＰＵ２０２，シリアルＩ／Ｏ　２１５を介して第３ＣＰＵ２０３に伝えられる。
　【００４６】
　図２２は給紙トレイ５０の斜視図、図２３は用紙サイズ・方向及びマグネット装着位置の関係を示す図表、図２４は図１２のステップＳ１６の用紙サイズ検出ルーチンの内容を示すフローチャートである。
　【００４７】
　給紙トレイ５０は図２２に示す如く、その底部に４個のマグネット５０１ａ〜５０１ｄが設けられており、給紙トレイ５０が複写装置本体に装着されるとリードスイッチ（図示せず）にてマグネットの装着状態が検出されるようになっている。そしてこの検出結果に応じて図２３に示すような関係によって給紙トレイ５０に収納された用紙のサイズとその位置が検出される。このリードスイッチはセンサ群２０６（図５参照）に含まれているセンサである。
　【００４８】
　４個のマグネット５０１ａ〜５０１ｄの装着の有無を判定し（ステップＳ１６０１，Ｓ１６０２，Ｓ１６０３，Ｓ１６０４，Ｓ１６０９，Ｓ１６１４，Ｓ１６１５，Ｓ１６１６）、この判定結果に応じて用紙の横方向の長さをｍｍ単位にてＹｐへ、また、用紙の縦方向の長さをｍｍ単位にてＴｐへ夫々設定する（ステップＳ１６０５，Ｓ１６０６，Ｓ１６０７，Ｓ１６０８，Ｓ１６１０，Ｓ１６１１，Ｓ１６１２，Ｓ１６１３，Ｓ１６１７，Ｓ１６１８，Ｓ１６１９，Ｓ１６２０，Ｓ１６２１，Ｓ１６２２）。このような処理が上下２段に装着されている各給紙トレイ５０，５０について施されるので、上段におけるＴｐ１，Ｙｐ１のデータ及び下段におけるＴｐ２，Ｙｐ２のデータが得られる。得られた結果は、第１ＣＰＵ２０１自身において用紙搬送，作像ルーチン等に利用される他、第２ＣＰＵ２０２ヘシリアル通信にて送られて走査長決定のための判断材料として利用されたり、第３ＣＰＵ２０３ヘシリアル通信にて送られて各種表示条件として利用されたりする。
　【００４９】
　以下、画像モニタ表示，有効画像エリア枠４２４の表示，原稿枠４２５の表示について説明する。
　図２５はＲＡＭ２２４のメモリ領域を示す模式図であり、ＲＡＭ２２４は、原稿を読取ってモニタ表示用の粗いデータに変換しただけの原画像データを格納する原画像データ領域２２４ａと、編集処理，変倍処理等が施された後の画像データを格納する出力画像データ領域２２４ｂと、操作パネル３００の各種キー入力，ジョイボール入力等の情報を格納する領域２２４ｃとを有している。両画像データ領域２２４ａ，２２４ｂは同じ容量であり、例えばＡ３（２９７×４２０ｍｍ）を基準とすると２９７×４２０×１＝１２４７４０ｂｉｔｓ≒１６ｋｂｙｔｅが必要である。原稿読取り時には、出力画像データ領域２２４ｂには原画像データ領域２２４ａと同一の内容の画像データが格納されており、その後編集動作が進行するにつれてその編集動作に応じて内容が修正されていく。
　【００５０】
　図２６は図１４のステップＳ３３の表示ルーチンの内容を示すものであり、この表示処理は基本画面表示（ステップＳ３３１）とモニタ画面表示（ステップＳ３３２）とに分けられる。
　【００５１】
　図２７は図２６のステップＳ３３２のモニタ画面表示ルーチンの内容を示すフローチャートであり、これは、図８（表示Ｄ３）及び図９（表示Ｄ４）の画像モニタエリア４１３内の表示の制御動作を示すものである。モニタキー３１６のオンにより、第２ＣＰＵ２０２の制御にて原稿走査が行われて（図１３，１５，１６，３４参照）、図１４ステップＳ３６の画像信号入力ルーチンにて第３ＣＰＵ２０３のＲＡＭ２２４に画像データが全て入力されると（ステップＳ３３２１　ＹＥＳ）、変倍，編集等の結果に基づく出力画像表示が要求された場合（ステップＳ３３２２　ＹＥＳ）、出力画像データをＬＣＤコントローラ２２１内のＶＲＡＭへ転送して（ステップＳ３３２３）、図１１（表示Ｄ６）に示すようにその表示を行い（ステップＳ３３２４）、要求されない場合（ステップＳ３３２２　ＮＯ）、取込んだ画像データをＬＣＤコントローラ２２１内のＶＲＡＭへ転送して（ステップＳ３３２５）、原稿原画像として表示する（ステップＳ３３２６）と共に位置指定カーソル４３１を表示する（ステップＳ３３２７）。以上のようにして画像モニタエリア４１３における表示内容を切替える。
　【００５２】
　次いで有効画像エリア枠の座標指定を行った後（ステップＳ３３２８）、画像表示に合成してこのエリア枠を表示する（ステップＳ３３２９）。次にステップＳ２４（図１３）により得られた原稿位置データに基づいて原稿枠の座標を指定し、画像表示に合成してこのエリア枠を表示する（ステップＳ３３３０）。
　なお、Ｓ３３２８，Ｓ３３２９，Ｓ３３３０における各枠の表示に時間を要する場合にはＳ３３２８の直前で枠表示が完了したかどうかの判断を入れ、枠表示が完了しているときには、Ｓ３３２８〜Ｓ３３３０を飛ばしてもよい。
　【００５３】
　図２８は別の実施の形態のＲＡＭ２２４のメモリ領域を示す模式図であり、この実施の形態のＲＡＭ２２４は、原稿を読取ってモニタ表示用の粗いデータに変換しただけの原画像データを格納する図２５と同様の原画像データ領域２２４ａと、編集動作，変倍動作等が進行する度にそのモード，各モードにおけるアドレス等の情報を格納するデータ領域２２４ｄと、各種キー入力，ジョイボール入力等の情報を格納する図２５と同様の領域２２４ｃとを有している。例えばトリミングモードが選択されている場合には、このデータ領域２２４ｄには、編集モードがトリミングである情報，そのトリミングエリアの頂点のアドレス情報等が格納されている。
　【００５４】
　トリミングモードが選択されている場合、収納されているアドレスを示す各頂点を結んだ設定エリアの外部では液晶を消灯とするデータを、また設定エリアの内部では原画像データを、ＬＣＤコントローラ２２１内のＶＲＡＭへ転送することになる。
　この実施の形態では、前述の実施の形態に比してＲＡＭ２２４の容量は小さくて済むという利点がある反面、収納しているデータをそのまま出力できる前述の実施の形態に比して、ＶＲＡＭヘデータを転送する際に第３ＣＰＵ２０３による演算を必要とするので、データの切替えのための処理時間だけ余分に時間がかかる。
　【００５５】
　図２９は原稿画像の読み取りが可能な全領域に対応する画像モニタエリア４１３と有効画像エリア枠，用紙枠，原稿枠の関係を示す模式図であって、図において実線（ａ）は有効画像エリア枠を、破線（ｂ）は用紙枠を、実線（ｃ）は原稿枠を夫々示している。図３０は図２７のステップＳ３３２８の有効画像エリア枠座標指定ルーチンの内容を示すフローチャートであり、まず図２９に示すＸＬ１，ＹＬ１の座標を指定する（ステップＳ３３２８１，ステップＳ３３２８２）。用紙上において先端に６（ｍｍ），側端及び後端に２（ｍｍ）の画像欠損領域を確保するので、その表示においてはＸＬ１，ＹＬ１の座標を夫々、ＸＬ１（ｍｍ）＝６／複写倍率、ＹＬ１（ｍｍ）＝２／複写倍率と指定する。上段の給紙トレイ５０が選択されている場合（ステップＳ３３２８３　ＹＥＳ）、ステップＳ１６（図１２）の用紙サイズ検出ルーチンにて得られた上段給紙トレイ５０の用紙長データＴｐ１，用紙幅データＹｐ１を用いて演算される結果をＸＬ２，ＹＬ２に設定する（ステップＳ３３２８４，ステップＳ３３２８５）。一方下段の給紙トレイ５０が選択されている場合（ステップＳ３３２８３　ＮＯ）、ステップＳ１６（図１２）の用紙サイズ検出ルーチンにて得られた下段給紙トレイ５０の用紙長データＴｐ２，用紙幅データＹｐ２を用いて演算される結果をＸＬ２，ＹＬ２に設定する（ステップＳ３３２８６，ステップＳ３３２８７）。
　【００５６】
　図３１は図２７のステップＳ３３２９の有効画像エリア枠表示ルーチンの内容を示すフローチャートであり、ｘ成分のアドレスデータＡｘへＸｌ１を設定し（ステップＳ３３２９０１）、ｙ成分のアドレスデータＡｙへＹｌ１を設定する（ステップＳ３３２９０２）。次にそのアドレスにおける画像モニタエリアの表示データＤ（Ａｘ，Ａｙ）をそれまでのそのデータと“１”とのＥｘｃｌｕｓｉｖｅ　ＯＲを取ることによってデータ反転を行い（ステップＳ３３２９０３）、Ａｘに１ずつ加算する（ステップＳ３３２９０４）。ＡｘがＸＬ２より大きくなるまでこの処理を継続し（ステップＳ３３２９０５　ＮＯ）、図２９の座標（ＸＬ１，ＹＬ１）の位置から座標（ＸＬ２，ＹＬ１）の位置まで水平方向のラインを、画像データとは液晶の消灯・点灯を反転させて描画する。ＡｘがＸＬ２を超えると（ステップＳ３３２９０５　ＹＥＳ）、Ａｘ，ＡｙをＸＬ１，ＹＬ２に設定し直した後（ステップＳ３３２９０６，Ｓ３３２９０７）、前述の処理と全く同様の処理を行って（ステップＳ３３２９０８，Ｓ３３２９０９，Ｓ３３２９１０）、図２９の座標（ＸＬ１，ＹＬ２）の位置から座標（ＸＬ２，ＹＬ２）の位置まで、水平方向のラインを描画する。
　【００５７】
　次にＡｘ，ＡｙをＸＬ１，ＹＬ１＋１に設定し直す（ステップＳ３３２９Ｈ，Ｓ３３２９１２）。次いで表示データＤ（Ａｘ，Ａｙ）をそれまでのそのデータと“１”とのＥｘｃｌｕｓｉｖｅ　ＯＲを取ることによってデータ反転を行い（ステップＳ３３２９１３）、Ａｙに１ずつ加算する（ステップＳ３３２９１２）。ＡｙがＹＬ２以上となるまでこの処理を継続し（ステップＳ３３２９１５　ＮＯ）、図２９の座標（ＸＬ１，ＹＬ１）の位置から座標（ＸＬ１，ＹＬ２）の位置まで、垂直方向のラインを描画する。ＡｙがＹＬ２以上となると（ステップＳ３３２９１５　ＹＥＳ）、Ａｘ，ＡｙをＸＬ２，ＹＬ１＋１に設定し直して（ステップＳ３３２９１６，Ｓ３３２９１７）、前述の処理と全く同様の処理を行い（ステップＳ３３２９１８，Ｓ３３２９１９，Ｓ３３２９２０）、図２９の座標（ＸＬ２，ＹＬ１）の位置から座標（ＸＬ２，ＹＬ２）の位置まで、垂直方向のラインを描画する。
　【００５８】
　以上のようにして、選択されている給紙トレイ内に収納されている用紙のサイズに基づいた有効画像エリアを示す枠４２４が、液晶表示パネル２２２に原稿画像に合せて合成表示される。
　有効画像エリア枠は複写倍率に応じて変化するので、変倍時にも原稿のなかで写し込まれる範囲を容易に確認することができる。
　【００５９】
　用紙先端側に画像欠損領域を設けているのは、チャッキング爪５２に保持される部分は作像が不可能であるからであり、また用紙両側端及び後端に画像欠損領域を設けているのは、トナーが転写ドラム５１へ付着することを防止するためである。つまり転写ドラムの用紙外へのトナー転写を行わないこととし、用紙のチャッキング位置のバラツキを考慮して画像欠損領域を設定する。この有効画像エリア枠を表示することによって、用紙サイズ表示に比して、より正確に原稿のどのエリアが写し込まれるかを認識することができる。
　【００６０】
　図３２は図２７のステップＳ３３３０の原稿枠表示ルーチンの内容を示すフローチャートであり、図２０に示した回路にて検出されたＰ１，Ｐ２，Ｐ３，Ｐ４に基づいてバーＰ１Ｐ２，バーＰ２Ｐ３，バーＰ３Ｐ４，バーＰ４Ｐ１を液晶表示パネル２２２上に描画するためのものである。
　【００６１】
　まず、ｘ，ｙ各成分のアドレスデータＡｘ，Ａｙを０にする（ステップＳ３３３０１，Ｓ３３３０２）。次に、図２０に示した回路にて検出されたＰ１，Ｐ２，Ｐ３，Ｐ４（図２１参照）に基づいて画像モニタエリア４１３に表示すべきバーＰ１Ｐ２，バーＰ２Ｐ３，バーＰ３Ｐ４，バーＰ４Ｐ１の表示領域Ｐをメモリ２２４ｃに格納する（ステップＳ３３３０３）。次にアドレスデータ（Ａｘ，Ａｙ）が原稿枠表示領域Ｐに含まれるか否かを判別する（ステップＳ３３３０４）。含まれるときには（ステップＳ３３３０４　ＹＥＳ）画像モニタの表示データＤ（Ａｘ，Ａｙ）のデータ反転を行い（ステップＳ３３３０５）、含まれないときには（ステップＳ３３３０４　ＮＯ）そのままステップＳ３３３０６に移行しＡｘを１ずつ加算する。ＡｘがＸｅより大きくなるまでステップＳ３３３０４〜Ｓ３３３０６の処理を継続し（ステップＳ３３３０７　ＮＯ）、ＡｘがＸｅより大きくなると（ステップＳ３３３０７　ＹＥＳ）Ａｘを０に設定し（ステップＳ３３３０８）、Ａｙを１ずつ加算する。ステップＳ３３３０４〜Ｓ３３３０８の処理はＡｙがＹｅより大きくなるまで継続される。ＡｙがＹｅより大きくなると（ステップＳ３３３０９　ＹＥＳ）、つまり原稿枠表示の処理が終了したときには、このルーチンを終了する。
　このように原稿を示す枠と、実際に画像が写し込まれる有効画像エリアを示す枠とが共に表示されるので、両者の位置関係を瞬時に把握することが可能である。
　【００６２】
　図３３は図１４のステップＳ３８の画像編集ルーチンの内容を示すフローチャートであり、まず画像モニタの起動がけを行い（ステップＳ３８１）、画像モニタの表示濃度レベルを調節し（ステップＳ３８２）、画像編集モードが設定されている場合には（ステップＳ３８３　ＹＥＳ）、トリミングモードに関する処理を行い（ステップＳ３８４）、イレースモードに関する処理を行う（ステップＳ３８５）。
　【００６３】
　図３４は図１５のステップＳ３８１の画像モニタルーチンの内容を示すフローチャートであり、スキャナ部１０が原稿を走査して画像信号を得ていない場合（ステップＳ３８１１　ＮＯ）で、モニタキー３１６がオフからオンに変わったとき（ステップＳ３８１２　ＹＥＳ）、またはモニタキー３１６がオンエッジ（以下、キーがオフ状態からオン状態に変わった時をオンエッジを呼称する。）でなくても（ステップＳ３８１２　ＮＯ）エリア編集モードが選択されたとき（ステップＳ３８１４　ＹＥＳ）には、モニタ画像の表示が要求される（ステップＳ３８１３）。
　【００６４】
　図３５，３６は図３３のステップＳ３８２の濃度レベル調整ルーチンの内容を示すフローチャートである。実際の複写濃度レベルとモニタ画像の濃度レベル（モニタレベル）との連動においては、複写濃度レベルの指定を変更すると、この指定変更に合わせて実際の複写濃度レベルとモニタレベルとが共に変更され、一方モニタレベルの指定を変更すると、この指定変更に合わせてモニタレベルのみが変更されることとしている。
　【００６５】
　ステップＳ３８２００〜Ｓ３８２０３にて、液晶表示パネル２２２における複写濃度レベル表示４０７（図６参照）の変更時点を検出する。エッジフラグが０であって（ステップＳ３８２００　ＹＥＳ）初期設定時にはこのフラグは０にされている）、前回の複写濃度と今回の複写濃度とが異なる場合（ステップＳ３８２０１　ＹＥＳ）、エッジフラグを１とする（ステップＳ３８２０２）。そして一度エッジフラグが１とされた後において、このサブルーチンがコールされると（ステップＳ３８２００　ＮＯ）、エッジフラグは０に戻される。その後複写濃度の指定状態に応じて（ステップＳ３８２０４〜Ｓ３８２０９）、実際の複写濃度レベルを決定するカウンタＣＤＬを設定する（ステップＳ３８２１０〜Ｓ３８２１６）。そしてこの値が、読取った原画像データを表示データ（液晶の点灯・消灯を示すデータ）に変換する際に、前述したしきい値レベル（図１９における４ｂｉｔｓデータ（ｅ））となるのである。そして夫々の複写濃度において、エッジフラグが１となっている場合には（ステップＳ３８２１７〜Ｓ３８２２３　ＹＥＳ）、コピー濃度の指定状態に合せてモニタレベルの設定を行う（ステップＳ３８２２４〜Ｓ３８２３０）。エッジフラグが０となっている場合には（ステップＳ３８２１７〜Ｓ３８２２３　ＮＯ）、メインルーチンに戻り、モニタレベルはそれ以前の状態を保つことになる。
　【００６６】
　モニタレベルの指定状態（モニタレベル表示４２３（図８参照）の表示内容）に応じて（ステップＳ３８２３１〜Ｓ３８２３６）、比較データ（図１９（ｅ））ＳＬを設定する（ステップＳ３８２３７〜Ｓ３８２４３）。
　以上の如く、実際の複写濃度の指定変更または直接的にモニタレベルの設定変更にて、モニタレベルの濃度変更は受付けられる。
　【００６７】
　次に、ジョイボール３１３の操作に関する制御手順について説明する。図３７はジョイボール３１３のスティック部３１３ａの回転角度θと処理速度Ｖｃとの関係を示すグラフ、図３８はθ及びＶｃの関係と各カーソルにおいて移動速度Ｖｃを決定する基準タイマー値ＴＭとを示す図表、図３９はスティック部３１３ａの可動範囲を示す模式図である。
　【００６８】
　図３９に示すようにスティック部３１３ａが自動復帰するセンター位置をθ＝３０°とすると、スティック部３１３ａはθ＝０〜６０°までが可動範囲であり、その角度θに応じてメニューカーソル及び位置指定カーソルの移動速度Ｖｃは図３７に示すように変化する。なお図３７においてはその速度変化は一次元にて表現されているが、実際は図４に示すように二次元であり、しかもＸ方向及びＹ方向に夫々独立的に制御されている。２５°＜θ＜３５°である場合には、カーソル（メニューカーソルまたは位置指定カーソル４３１）は移動しない（Ｖｃ＝０）。２０°≦θ≦２５°，３５°≦θ≦４０°である場合には、ある基準速度（Ｖｃ＝１）にてカーソルは移動する。０°≦θ≦５°，５５°≦θ≦６０°である場合には、その基準速度の５倍の速度（Ｖｃ＝５）にてカーソルは移動する。５°＜θ＜２０°，４０°＜θ＜５５°である場合には、図３８に示すθの二次関数結合にてＶｃ＝１〜５の間にてカーソルは移動する。
　【００６９】
　図４０，４１は、このカーソルの移動速度の制御内容を示すフローチャートであり、この図４０，４１は図１４のステップＳ３５の内容を示すものである。
　Ｘ方向の回転角度θｘの大きさによって（ステップＳ３５０１，Ｓ３５０３，Ｓ３５０５）、ｘ成分移動速度ＶＣｘに１〜５の値を設定する（ステップＳ３５０２，Ｓ３５０４，Ｓ３５０６）。ここでＳ３５０４における定数Ｋ１，Ｋ２，Ｋ３の値は図３８に示すように夫々０．００７６１９，−０．４５７１，７．０９１となる。２５＜θｘ＜３５の場合（ステップＳ３５０５　ＮＯ）には、カーソルのｘ方向の移動を要求するフラグＦＭＶｘをリセットし（ステップＳ３５１７）、ｘ方向移動タイミングを決定するための比較タイマーＴＲｘをストップする（ステップＳ３５１８）。なおフラグＦＭＶｘが１に設定されると、ステップＳ３７，Ｓ３８，Ｓ３９（図１４）の何れかにおいてカーソルの移動処理が行われ、そのフラグは０に戻される。
　【００７０】
　ＶＣｘが設定された後で、画面の状態が図６，７，８に示すようにメニューカーソルの移動状態である場合（ステップＳ３５０７　ＹＥＳ）には、ｘ成分移動速度を決定する基準タイマー値ＴＭｘへＫ４／ＶＣｘを設定する（ステップＳ３５０８）。ＶＣｘが設定された後で、画面の状態が図９，１０に示すように位置指定カーソルの移動状態である場合（ステップＳ３５０７　ＮＯ）には、基準タイマー値ＴＭｘへＫ５／ＶＣｘを設定する（ステップＳ３５０９）。ここでＫ４＝１０００（ｍｓｅｃ），Ｋ５＝５０（ｍｓｅｃ）としているので基準タイマー値ＴＭｘの結果は図３８に示すようになる。
　【００７１】
　比較タイマーＴＲｘが加算動作中ではなくてストップしている場合（ステップＳ３５１０　ＹＥＳ）、及び比較タイマー値ＴＲｘが基準タイマー値ＴＭｘまで達した場合（ステップＳ３５１１　ＹＥＳ）には、フラグＦＭＶｘを１にし（ステップＳ３５１２）、比較タイマーＴＲｘを０からカウント開始する（ステップＳ３５１３）。
　【００７２】
　ジョイボールを２５＜θ＜３５以外に回転した瞬間にフラグＦＭＶｘが１となうてカーソルの移動が行われ、それ以降においては回転量に応じた基準タイマー時間にてカーソルは移動する。ここでこの時間はその瞬間のジョイボールの回転量に応じた値であり、この値と常に動作している基準タイマー値とを比較してカーソルの移動を行うので、移動の応答性に優れている。また所望の移動を完了した後、ジョイボールの回転角度を２５＜θ＜３５に戻せば、それ以降においてカーソルの移動が行われることはない。
　【００７３】
　次にθｘは３０以上であるか否かが判定され（ステップＳ３５１４）、３０以上である場合（ステップＳ３５１４ＹＥＳ）にはｘ成分移動方向フラグＦＤＲｘを１とし（ステップＳ３５１５）、３０未満である場合（ステップＳ３５１４　ＮＯ）にはフラグＦＤＲｘを０とする（ステップＳ３５１６）。そしてＦＤＲｘ＝１のときはＸ（＋）方向（図２右方向）への移動であり、ＦＤＲｘ＝０のときはＸ（−）方向（図２左方向）への移動である。
　以上のような処理を、ｙ方向成分についても全く同様に行い（図４１のステップＳ３５１９〜Ｓ３５３６参照）、ｙ方向の移動要求フラグＦＭＶｙとｙ方向の移動方向フラグＦＤＲｙとを指定する。
　【００７４】
　以上のように決定された移動要求フラグＦＭＶｘ，ＦＭＶｙ及び移動方向フラグＦＤＲｘ，ＦＤＲｙが、上記各フラグの状態に応じて種々の処理を行うステップＳ３７，Ｓ３８，Ｓ３９（図１４）における判定に際して用いられる。更にＦＭＶｘ，ＦＭＶｙの少なくとも一方が１のときには、ステップＳ３３１及びＳ３３２（図２６）において上記各フラグの状態に応じた実際のメニューカーソルまたは位置指定カーソルの１単位の移動処理が行われる。この処理が終了した段階にて、移動要求フラグＦＭＶｘ，ＦＭＶｙは“０”に戻され、ＦＭＶｘについてはステップＳ３５１２（図４０）、ＦＭＶｙについてはステップＳ３５３０（図４０）において新たに“１”となるまで、ステップＳ３３２７（図２７）における位置指定カーソルの位置及びＳ３３１（図２６）におけるメニューカーソルの位置は変わらない。
　【００７５】
　なお、上述したカーソルの１単位の移動とは、位置指定カーソルの場合には液晶表示パネル２２２上のｘ，ｙ各方向における１ドットの移動を指し、メニューカーソルの場合には１つのカーソル位置からｘ，ｙ各方向における直ぐ隣のカーソル位置への移動を指す。
　【００７６】
　さて、図４２は、本発明に係る色に関する編集処理を行う為に、電源投入時の前記図６（表示Ｄ１）よりカラークリエイト（色編集モード）を選択した場合の表示内容（以下表示Ｄ７という）を示す模式図である。
　図６（表示Ｄ１）において、ジョイボール３１３によりメニューカーソルを４０１ｅまで移動し、セットキー３１４をオンすることによって、図６（表示Ｄ１）の一部の上に「カラークリエイト」内のメニュー、即ちフルカラー３色モノカラー，ネガ／ポジ反転，ペイント，色変換，色分解及び色登録が表示され、インフォメーション表示には、その中のモードの１つを選択することが要求される。
　【００７７】
　図４３は、上述のメニューの中から同様にジョイボール３１３及びセットキー３１４を用いて色変換モードを指定した場合の表示内容（以下表示Ｄ８という）を示す模式図である。ここで、色変換モードとは、原稿上のある色（変換色）を別の色（出力色）に変換してコピーするモードであり、インフォメーション表示には変換色の指定が要求される。変換色には、予め複写機の仕様として設定されている“基本色”，オペレータが前記「カラークリエイト」内の色登録モードによって、ある原稿のある位置の色を登録する“登録色”及び色変換される原稿上の位置を指定することによって色を決定する“色指定”の３メニューがあり、この中で“登録色”を指定した場合の表示内容を図４４及び図４５（以下表示Ｄ９及びＤ１０という）に示す。
　【００７８】
　まず、図４４（表示Ｄ９）は、後述する色登録モードによって予め登録されるＮｏ．１〜Ｎｏ．８の登録色の中のＮｏ．５が選択された場合の表示内容を示してあり、登録色の何番かが選択されると、登録色モニタ４６９が表示され、該登録色モニタ４６９はコピー出力される際のシアン，イエロー，マゼンタの各トナーの濃度レベルを棒グラフ４６９ａと、％数値４６９ｂとによって表示する。これにより登録色の内容が確認できるようになっており、ジョイボール３１３によってメニューカーソルをＮｏ．１〜Ｎｏ．８の各登録色に選択移動することにより、登録色モニタ４６９の表示内容もそれに応じて変化する。
　【００７９】
　上述の如く登録色の何番かが選択されている場合に、セットキー３１４をオンすると、変換色の指定が完了して次メニューへ移行するのであるが、それまでのインフォメーション表示としては、変換色、つまりこの場合登録色の指定が要求されている。
　ここで、登録色の指定を行う前に、登録色メニューの中のもう一つのメニュー『プリント』４６０をジョイボール３１３によって選択した場合の表示内容が図４５（表示Ｄ１０）である。この表示状態において、セットキー３１４をオンすると、登録色プリントが開始される。これは１枚の用紙に登録色Ｎｏ．１〜Ｎｏ．８に保持されている色をプリントするものである。図４６はそのプリント結果を示す図であり、用紙５１上にＮｏ．１からＮｏ．８の各登録色が夫々長方形を形成して順に並べられている。このプリント結果は、操作パネル３００上の登録色セット部３１７に挿入するようになっている。このように登録されている色が実際のコピーとして色確認ができる為、色を登録した時点で、登録色プリントを行い、その結果を操作パネル３００にセットしておくことによって、オペレータが意図しない登録色を用いてカラークリエイト（色編集コピー）を行うことを未然に防止できるのである。
　【００８０】
　次に上述のＮｏ．１から８の各色を登録する手順について説明する。図４７は図４２（表示Ｄ７）から色登録モードを指定した場合の表示内容（以下表示Ｄ１１という）である。この色登録モードには、前記図４４（表示Ｄ９）に示した“登録色”のメニューにおける登録色Ｎｏ．１〜８（４６１〜４６８）に対応したメニュー４７７〜４８４，既に登録してある色を確認する『確認』メニュー４８６，原稿上の位置を指定し、その色を読取って登録する『原稿』メニュー４８７及び同じく前記図４４（表示Ｄ９）に示した登録色モニタ４６９と同様のモニタを用いてシアン，イエロー，マゼンタの各トナーの濃度レベルを任意に設定した色を登録するメニュー４８８〜４９０が備えてある。
　【００８１】
　インフォメーション表示には登録メニューの選択が要求してあり、例えば図４７（表示Ｄ１１）に示すように『原稿』メニュー４８７を選択した場合には、画像モニタが要求され、画像モニタ上で位置指定を行うと、原稿のその位置の色が読取られる。そしてその色を登録するには登録４８５を指定することによって登録Ｎｏ．の選択が要求され、メニュー４７７〜４８４から選択される登録Ｎｏ．へ読取られた色データが格納される。このように本実施の形態においては、色の登録を行う場合に、原稿位置から読取るモード、又は任意の色を作成できるモードによって８色まで登録可能になっている。
　【００８２】
　図４８〜図５２は、登録色に関する制御フローチャートである。
　図４８は図１３のステップＳ２６画像処理の内容を示すフローチャートであり、変倍に関する処理（ステップＳ２６１）と、エリア編集に関する処理（ステップＳ２６２）と、色編集に関する処理（ステップＳ２６３）との３つから成っている。この中の色編集（ステップＳ２６３）に関する処理内容を示したものが図４９である。
　【００８３】
　ここでは「カラークリエイト」内の前述した各メニュー、即ちフルカラー３色（ステップＳ２６３１）〜色登録（ステップＳ２６３７）に対する処理に加えて、登録色内容確認の為の処理（ステップＳ２６３８）が行われる。図５０は、ステップＳ２６３７の色登録モードの処理内容を示しており、まず、図４７（表示Ｄ１１）で示す状態で『確認』４８６が設定され（ステップＳ２６３７０２　ＹＥＳ）、登録Ｎｏ．が指定されると（ステップＳ２６３７０３　ＹＥＳ）、そのＮｏ．に対応したデータによってシアン，イエロー，マゼンタの３色成分の表示を行う（ステップＳ２６３７０４）。
　【００８４】
　一方、『原稿』４８７が設定された場合には（ステップＳ２６３７０５　ＹＥＳ）、原稿上の色の読取位置が指定され（ステップＳ２６３７０６　ＹＥＳ）、その色の読取が完了するのを待って（ステップＳ２６３７０７　ＹＥＳ）、また、マニュアル動作による任意色の指定状態（ステップＳ２６３７０５　ＮＯ）の場合には、各色成分の設定を受け付けた後（ステップＳ２６３７０８）、共に登録Ｎｏ．の指定完了後（ステップＳ２６３７０９　ＹＥＳ）、『登録』４８５の設定を待って（ステップＳ２６３７１０　ＹＥＳ）、その登録Ｎｏ．に応じたＲＡＭエリアに原稿読取り、又は任意色設定による色データを格納する（ステップＳ２６３７１１）。
　【００８５】
　図５１は図５０中の任意色指定における各色データ修正表示ルーチン（ステップＳ２６３７０８）の内容を示すフローチャートである。ジョイボール３１３のＹ方向動作（＋：アップ，−：ダウン）を受付けた場合（ステップＳ２６３７０８１　ＹＥＳ）、「シアン」成分が選択されていると（ステップＳ２６３７０８２　ＹＥＳ）、シアン成分に関してデータを増加、又は減少させると共にそのデータに基づいて表示を行う（ステップＳ２６３７０８３）。同様に「イエロー」選択の場合は（ステップＳ２６３７０８４　ＹＥＳ）、イエローのデータ及び表示を、また、「マゼンタ」選択の場合は（ステップＳ２６３７０８６　ＹＥＳ）、マゼンタのデータ及び表示を夫々修正する（ステップＳ２６３７０８５、又はＳ２６３７０８７）。
　【００８６】
　図５２はステップＳ２６３８の登録色確認の処理内容を示しており、図４４（表示Ｄ９）の状態においてメニューカーソルによって登録色Ｎｏ．１からＮｏ．８が選択されている間（ステップＳ２６４１　ＹＥＳ）、選択されているＮｏ．のデータを登録色モニタ４６９に表示する（ステップＳ２６４２）。また、図４５（表示Ｄ１０）の状態、即ち『プリント』４６０が選択された状態でセットキー３１４がオンされると（ステップＳ２６４３　ＹＥＳ）、プリントの動作条件が整った場合に、登録色データをＮｏ．１から順次出力を開始する（ステップＳ２６４４）。具体的にはカラーリニアイメージセンサ２１２で実際にスキャンする代わりに、ＣＣＤからの信号に相当する擬似信号を発生させ、これを出力する。
　【００８７】
　そしてＮｏ．８までデータの出力を完了すると（ステップＳ２６４５　ＹＥＳ）、データの出力を停止する（ステップＳ２６４６）。一方、このときエンジン部２３では通常通りの複写動作を行うので、図４６に示したように登録色のプリントが行われる。
　【００８８】
　ここで画像信号処理回路内で擬似信号を発生させる方法について図５３に示すブロック図を用いて説明する。ＣＣＤカラーリニアイメージセンサ１４からのアナログ画像信号２１３１１〜２１３１３はＲ信号，Ｇ信号，Ｂ信号の各信号毎にＡ／Ｄ変換器２１３２１〜２１３２３にて各々８ｂｉｔのデジタル画像信号２１３３１〜２１３３３に変換され、８ｂｉｔのセレクタ２１３４１〜２１３４３を介して上記８ｂｉｔのデジタル画像信号が次段の処理回路へ向けて出力される。以上は通常の画像読み取り時である。
　【００８９】
　登録色のプリントアウトを行うときにはセレクタ２１３４１〜２１３４３は、制御バス２１３５１により擬似信号発生回路２１３６側に切り換えられており、ステップＳ２６３７１１（図５０参照）で格納された色データを登録Ｎｏ．順に呼び出し、その色データに基づいて擬似信号を発生させる。例えば色データが図４４で示したようにＣ＝５５％，Ｙ＝４０％，Ｍ＝２０％のときには、これを一度ＲＧＢに置き換える下記の演算を行い、Ｒ＝３％，Ｇ＝３８％，Ｂ＝２０％を得る。
　【００９０】
　【数２】
　【００９１】
　これらはＲ＝００００００１１，Ｇ＝００１１０１００，Ｂ＝００１０００００といった８ｂｉｔのコードを有しており、各々セレクタ２１３４１〜２１３４３を介して次段の処理回路に向けて出力される。
　【００９２】
　擬似信号発生回路２１３６には、タイミング発生回路２１３７が接続されている。これは擬似信号発生回路２１３６から擬似信号を発生させるタイミングを制御する為の回路であり、図５４に示すように登録色データＮｏ．１に対しては主走査方向で第Ｎ〜第Ｎ＋Ｌドットに該当するタイミングだけ上記擬似信号を出力する。これを副走査の第ｎライン〜第ｎ＋１−１に該当するタイミングで繰り返して出力する。以下、登録色データＮｏ．２〜８についても同様に出力する。
　【００９３】
　なお、本実施の形態においては、登録色のプリントを登録してある色全てについて行う構成としてあるが、これに限定されるものではなく、例えば登録番号を指定して、その色だけをプリントする構成としても良いし、また登録色の横に登録番号を同時にプリントしても良い。
　【００９４】
　【発明の効果】
　以上の如く本発明に係る複写装置においては
、複数の
に
【図面の簡単な説明】
　【図１】　本発明に係る複写装置の縦断面構造図である。
　【図２】　操作パネルの模式的平面図である。
　【図３】　ジョイボールの概略側面図である。
　【図４】　ジョイボールの斜視図である。
　【図５】　全体の制御系統図である。
　【図６】　液晶表示パネルの表示内容を示す模式図である。
　【図７】　液晶表示パネルの表示内容を示す模式図である。
　【図８】　液晶表示パネルの表示内容を示す模式図である。
　【図９】　液晶表示パネルの表示内容を示す模式図である。
　【図１０】　液晶表示パネルの表示内容を示す模式図である。
　【図１１】　液晶表示パネルの表示内容を示す模式図である。
　【図１２】　第１ＣＰＵ２０１のメインルーチンを示すフローチャートである。
　【図１３】　第２ＣＰＵ２０２のメインルーチンを示すフローチャートである。
　【図１４】　第３ＣＰＵ２０３のメインルーチンを示すフローチャートである。
　【図１５】　メインルーチンのサブルーチンを示すフローチャートである。
　【図１６】　メインルーチンのサブルーチンを示すフローチャートである。
　【図１７】　画像信号変換回路の動作内容を説明するための模式図である。
　【図１８】　画像信号変換回路の動作内容を説明するための模式図である。
　【図１９】　画像信号変換回路の動作内容を説明するための模式図である。
　【図２０】　原稿サイズを検出するための装置構成を示すブロック図である。
　【図２１】　原稿サイズ検出の原理を説明するための模式図である。
　【図２２】　給紙トレイの斜視図である。
　【図２３】　用紙サイズ・位置とマグネット装着位置との関係を示す図表である。
　【図２４】　メインルーチンのサブルーチンを示すフローチャートである。
　【図２５】　ＲＡＭのメモリ領域を示す模式図である。
　【図２６】　メインルーチンのサブルーチンを示すフローチャートである。
　【図２７】　メインルーチンのサブルーチンを示すフローチャートである。
　【図２８】　ＲＡＭのメモリ領域を示す模式図である。
　【図２９】　有効画像エリア枠，用紙枠，原稿枠の関係を示す模式図である。
　【図３０】　メインルーチンのサブルーチンを示すフローチャートである。
　【図３１】　メインルーチンのサブルーチンを示すフローチャートである。
　【図３２】　メインルーチンのサブルーチンを示すフローチャートである。
　【図３３】　メインルーチンのサブルーチンを示すフローチャートである。
　【図３４】　メインルーチンのサブルーチンを示すフローチャートである。
　【図３５】　メインルーチンのサブルーチンを示すフローチャートである。
　【図３６】　メインルーチンのサブルーチンを示すフローチャートである。
　【図３７】　ジョイボールの回転角度と処理速度との関係を示すグラフである。
　【図３８】　ジョイボールの回転角度及び処理速度の関係と基準タイマー値とを示す図表である。
　【図３９】　ジョイボールのスティック部の可動範囲を示す模式図である。
　【図４０】　メインルーチンのサブルーチンを示すフローチャートである。
　【図４１】　メインルーチンのサブルーチンを示すフローチャートである。
　【図４２】　色編集に関する液晶表示パネルの表示内容を示す模式図である。
　【図４３】　色編集に関する液晶表示パネルの表示内容を示す模式図である。
　【図４４】　色編集に関する液晶表示パネルの表示内容を示す模式図である。
　【図４５】　色編集に関する液晶表示パネルの表示内容を示す模式図である。
　【図４６】　登録色プリントの結果を示す模式図である。
　【図４７】　色編集に関する液晶表示パネルの表示内容を示す模式図である。
　【図４８】　登録色に関する制御内容を示すフローチャートである。
　【図４９】　登録色に関する制御内容を示すフローチャートである。
　【図５０】　登録色に関する制御内容を示すフローチャートである。
　【図５１】　登録色に関する制御内容を示すフローチャートである。
　【図５２】　登録色に関する制御内容を示すフローチャートである。
　【図５３】　擬似信号を発生する回路構成を示すブロック図である。
　【図５４】　擬似信号の発生タイミングを説明する模式図である。
　【符号の説明】
　２０２　第２ＣＰＵ、２１２　ＣＣＤ、２２２　表示パネル、３００　操作パネル、３１３　ジョイボール、３１４　セットキー、３１７　登録色セット部、４６０…プリントメニュー。